(57)【要約】      （修正有）【課題】紙葉類の後方を支持する背板部が紙葉類の荷重を受けて後方に撓み変形してしまい、紙葉類を安定的に支持できなくなるという課題を解消し、安定して紙葉類を支持することができる紙葉類立てを提供する。【解決手段】紙葉類立てＳｔを、板状の背板部１と、この背板部１を支持する台座部２とを備えたものとし、台座部２の左右の側壁２１、２２が、後側の下縁から内方に向けて連設させた内方延出片２１２ａ、２２２ａと内方延出片２１２ａ、２２２ａの内側の縁から上方に向けて連設されて背板部１を係合する起立片２１２ｂ、２２２ｂとを有した背板支持部２１２、２２２を備え、背板支持部２１２、２２２が、下端縁ｅ２が載置面Ｆに接する下方突出片２２２ｃを備えている。【選択図】図２
0003172664.tif 000002
【実用新案登録請求の範囲】
【請求項１】
紙製シートにより形成され、紙葉類を天板等の載置面に対して起立した状態で支持するための紙葉類立てであって、
表面及び裏面に印刷による表示領域を有した板状の背板部と、この背板部を支持する台座部とを備えたものであり、
前記台座部が、前記背板部を保持する背板保持部を前後方向中間位置に配してなる左右の側壁と、これら左右の側壁の前縁間を連結する前壁と、この前壁の下縁から連設され前記左右の側壁における前側の下縁間に位置する底壁とを備えてなり、これら左右の側壁と、前記前壁と、前記底壁と、前記背板部とによって前記紙葉類を収容する収容空間を形成しており、
前記背板部が、左右方向中間部に後方に突出させてなる後方突出片を備えてなり、
前記左右の側壁が、下縁から内方に向けて連設された内方延出片と、前記内方延出片の内側の縁から上方に向けて連設されて前記後方突出片と係わり合う起立片とを有した背板支持部を備えてなり、
前記背板支持部が、前記内方延出片と前記起立片との境界部分から下方に突出し下端縁が前記載置面に接する下方突出片を備えてなることを特徴とする紙葉類立て。
【請求項２】
前記背板部が、前記前壁の幅寸法よりも大きな幅寸法を備えている請求項１記載の紙葉類立て。
【請求項３】
単一の紙製シートを折り曲げることにより全体を形成している請求項１又は２記載の紙葉類立て。
【考案の詳細な説明】
【技術分野】
【０００１】
本考案は、紙製シートにより形成され、パンフレットやハガキや冊子等の種々の紙葉類を、家具の天板等の載置面に対して起立した状態で支持するための紙葉類立てに関する。
【背景技術】
【０００２】
従来から、この種の紙葉類立てとして、種々のものが知られている（例えば特許文献１参照）。
【０００３】
ところで、紙葉類立ては、複数の紙葉類を載置面に対して起立した状態に支持するものである。このため、紙葉類立ては、紙葉類が一定方向に凭れることに伴って比較的大きな荷重が集中する部分があり、従来から複数の紙葉類を一定強度を確保しつつ安定的に支持するための方策が種々検討されている。
【０００４】
特に、紙製シートにより形成される紙葉類立ては、各部を紙によって形成するものであるため紙葉類の荷重を受けて変形が惹起されやすい。例えば、紙葉類を背面側から支持する板状の背板部と当該背板部の左右部分を支持する台座部とを備え、これら背板部と台座部とによって紙葉類を支持するようにした紙葉類立てにおいては、背板部の中央部分が紙葉類の荷重を受けて後方に撓み変形することがあり、紙葉類を安定的に支持できなくなるという問題がある。
【先行技術文献】
【特許文献】
【０００５】
【特許文献１】実用新案登録第３１６４１９９号公報
【考案の概要】
【考案が解決しようとする課題】
【０００６】
本考案は、このような課題に着目してなされたものであって、主たる目的は紙葉類の後方を支持する背板部が紙葉類の荷重を受けて後方に撓み変形してしまい、紙葉類を安定的に支持できなくなるという課題を解消し、安定して紙葉類を支持することができる紙葉類立てを提供することを目的としている。
【課題を解決するための手段】
【０００７】
すなわち、本考案の次の構成をなすものである。
【０００８】
請求項１に係る考案は、紙製シートにより形成され、紙葉類を天板等の載置面に対して起立した状態で支持するための紙葉類立てであって、表面及び裏面に印刷による表示領域を有した板状の背板部と、この背板部を支持する台座部とを備えたものであり、前記台座部が、前記背板部を保持する背板保持部を前後方向中間位置に配してなる左右の側壁と、これら左右の側壁の前縁間を連結する前壁と、この前壁の下縁から連設され前記左右の側壁における前側の下縁間に位置する底壁とを備えてなり、これら左右の側壁と、前記前壁と、前記底壁と、前記背板部とによって前記紙葉類を収容する収容空間を形成しており、前記背板部が、左右方向中間部に後方に突出させてなる後方突出片を備えてなり、前記左右の側壁が、下縁から内方に向けて連設された内方延出片と、前記内方延出片の内側の縁から上方に向けて連設されて前記後方突出片と係わり合う起立片とを有した背板支持部を備えてなり、前記背板支持部が、前記内方延出片と前記起立片との境界部分から下方に突出し下端縁が前記載置面に接する下方突出片を備えてなるものである。
【０００９】
ここで、「紙葉類」とは、ハガキ、チラシ、フライヤー等と称される１枚もののシートや、複数枚の用紙を綴じてなるパンフレット、冊子、書籍等を広く含む概念である。
【００１０】
また、「載置面」とは、紙葉類立てが載置される比較的水平な面であり、例えば、机、テーブル、棚、保管庫などの家具における天板の面や、床面などが該当する。
【００１１】
請求項２に係る考案は、請求項１に係る構成において、前記背板部が、前記前壁の幅寸法よりも大きな幅寸法を備えているものである。
【００１２】
請求項３に係る考案は、請求項１又は２に係る構成において、単一の紙製シートを折り曲げることにより全体を形成しているものである。
【考案の効果】
【００１３】
以上説明したように本考案によれば、紙葉類の後方を支持する背板部が紙葉類の荷重を受けて後方に撓み変形してしまい、紙葉類を安定的に支持できなくなるという課題を解消し、安定して紙葉類を支持することができる紙葉類立てを提供することができる。
【図面の簡単な説明】
【００１４】
【図１】本考案の一実施形態を示す斜視図。
【図２】同実施形態における後方斜視図。
【図３】同実施形態における部分拡大背面図。
【図４】同実施形態における紙葉類立ての展開図。
【図５】他の実施形態における紙葉類立ての展開図。
【図６】他の実施形態における紙葉類立ての斜視図。
【考案を実施するための形態】
【００１５】
以下、本考案の一実施形態を、図１〜図４を参照して説明する。なお、前後上下左右などの位置関係は、組立完了状態（例えば、図１及び図２を参照）を基準にして説明することとする。
【００１６】
この実施形態は、本考案を、縦長矩形状をなす紙葉類たる冊子Ｂを起立した状態で支持するための紙葉類立てＳｔに適用した場合のものである。
【００１７】
紙葉類立てＳｔは、図４に示されるような所定の形状に切り抜かれてなる単一（１枚）の紙製シートＰを、複数箇所で所定の方向に約９０度折り曲げたり、所定の部材同士を組み付けたりして形成される。また、本実施形態の紙葉類立てＳｔは、糊等の接着剤を一切使用することなく作られるものである。紙製シートＰは、両面に印刷による表示領域Ｒを有しているものであり、任意に両面ないし片面に適宜の印刷を施すことができるようになっている。以下、詳述する。
【００１８】
この紙葉類立てＳｔは、紙製シートＰにより形成され、紙葉類Ｂを天板等の載置面Ｆに対して起立した状態で支持するとともに、当該紙葉類Ｂに関連させた広告宣伝を表示するものであり、表面１ａ及び裏面１ｂに広告や装飾等の印刷による表示領域Ｒを有した板状の背板部１と、背板部１を支持する台座部２とを備えたものである。
【００１９】
背板部１は、図１に示すように、紙葉類Ｂの後側に配される。そして、背板部１は、略直立又は若干傾いて起立する紙葉類Ｂを後方から支持する板状のものであり、本実施形態においては、正面視において下向きに凸の形状をなしている。換言すれば、背板部１は、上側に矩形状をなした幅広部分Ｗと下側に矩形状をなした幅狭部分Ｎとを備えている。幅広部分Ｗは、後述する台座部２の前壁２３の幅寸法よりも大きな幅寸法を備えている。幅広部分Ｗの幅寸法や上下寸法は、紙葉類Ｂの幅寸法よりも大きく設定されており、紙葉類Ｂを後側から支持する機能とともに、いわゆる”ポップ（ＰＯＰ）”と称される購買を促進させるための広告を表示するための広告表示板として機能するものである。幅狭部分Ｎは、幅広部分Ｗの下縁から下方に向けて連続して形成されてなるものである。また、幅狭部分Ｎと後述する台座部２の底壁２４とは連続して形成されている。幅狭部分Ｎの左右方向中間の位置には、Ｕ字状又はコ字状のスリットＬ１によって切り起こされ、当該切り起こされた部分を裏面１ｂ側である後方に突出させてなる後方突出片１１を備えている。後方突出片１１は、後端側の左右の位置に係合スリット１１１、１１２を設けている。この係合スリット１１１、１１２は、後述する台座部２の左右の側壁２１、２２に設けられた背板支持部２１２、２２２の起立片２１２ｂ、２２２ｂと係合するようになっている。背板部１における幅狭部分Ｎの下端の中央部分には、基端を背板部１の幅狭部分Ｎとベース部の底壁２４との境界部分に位置させてなる下方突出片１４を下方に向けて突設している。さらに、背板部１は、幅広部分Ｗと幅狭部分Ｎとの左右の境界部分に、台座部２の左右の側壁２１、２２に設けたスリット状の背板保持部２１１、２２１に係合するための左右の係合スリット１２、１３が形成されている。これら左右の係合スリット１２、１３と背板保持部２１１、２２１とを係わり合わせることによって、背板部１が台座部２に支持されている。
【００２０】
台座部２は、載置面Ｆに対して背板部１を起立した状態に支持するとともに、紙葉類Ｂを収容する収容空間Ｓを背板部１とともに形成するものである。すなわち、台座部２は、背板部１を保持する背板保持部２１１ａ、２２１ａを前後方向中間位置に備えてなる左右の側壁２１、２２と、左右の側壁２１、２２の前縁間を連結する前壁２３と、前壁２３の下縁から連設され左右の側壁２１、２２における前側の下縁間に位置する底壁２４とを備えてなり、これら左右の側壁２１、２２と、前壁２３と、底壁２４と、後壁の機能を兼ねた背板部１とによって紙葉類Ｂを収容する収容空間Ｓを形成しているものである。
【００２１】
左右の側壁２１、２２は、左右に対をなして配されている。以下、左の側壁２１、右の側壁２２の順に説明する。
【００２２】
左の側壁２１は、側面視台形状をなす板状の側壁本体２１１を主体に構成されたものである。側壁本体２１１は、前後の下端縁２１１ｂが載置面Ｆに接するようになっている。また、側壁本体２１１は、上側における前後方向中間位置に、背板部１における左の係合スリット１２と係わりあって背板部１を保持する上下に延びたスリット状の背板保持部２１１ａを備えている。さらに、左の側壁２１は、側壁本体２１１の下縁における中間部分から内方に向けて連続して形成された矩形片状の内方延出片２１２ａと、この内方延出片２１２ａの内側の縁から上方に向けて連続して形成された矩形片状の起立片２１２ｂとを有した背板支持部２１２を備えている。背板支持部２１２は、図３に示すように、左の側壁２１の下縁から背面視においてＬ字状に延びて背板部１に接続し、背板部１を後方支持するもので、背板部１の中央部分が紙葉類Ｂの荷重を受けて後方に向けて湾曲することを抑制するものである。背板支持部２１２における起立片２１２ｂの前側の部位には背板部１に設けられた後方突出片１１の左側の係合スリット１１１に係合して背板部１に接続するための係合スリット２１２ｄが設けられている。また、背板支持部２１２は、内方延出片２１２ａと起立片２１２ｂとの境界部分ｂ１から下方に突出し下端縁ｅ１が載置面Ｆに接する突出片２１２ｃを備えている。
【００２３】
右の側壁２２は、側面視台形状をなす板状の側壁本体２２１を主体に構成されたものである。側壁本体２２１は、前後の下端縁２２１ｂが載置面Ｆに接するようになっている。また、側壁本体２２１は、上側における前後方向中間位置に、背板部１における右の係合スリット１３と係わりあって背板部１を保持する上下に延びたスリット状の背板保持部２２１ａを備えている。さらに、右の側壁２２は、側壁本体２２１の下縁における中間部分から内方に向けて連続して形成された矩形片状の内方延出片２２２ａと、この内方延出片２２２ａの内側の縁から上方に向けて連続して形成された矩形片状の起立片２２２ｂとを有した背板支持部２２２を備えている。背板支持部２２２は、図３に示すように、右の側壁２２の下縁から背面視においてＬ字状に延びて背板部１に接続し、背板部１を後方支持するもので、背板部１の中央部分が紙葉類Ｂの荷重を受けて後方に向けて湾曲することを抑制するものである。背板支持部２２２における起立片２２２ｂの前側の部位には背板部１に設けられた後方突出片１１の右側の係合スリット１１２に係合して背板部１に接続するための係合スリット２２２ｄが設けられている。また、背板支持部２２２は、内方延出片２２２ａと起立片２２２ｂとの境界部分ｂ２から下方に突出し下端縁ｅ２が載置面Ｆに接する突出片２２２ｃを備えている。
【００２４】
前壁２３は、左右の側壁２１、２２の前縁間、すなわち側壁本体２１１、２２１の前縁間を連結する板状のものであり、上側に収容空間Ｓと外部空間との間を連通させて紙葉類Ｂの取り出しの便宜に供するための切欠部２３２を有している。また、前壁２３の下縁における左右２箇所には、基端が前壁２３と底壁２４との境界部分ｂ３に位置して下方に突出し下端縁が載置面Ｆに接する下方突出片２３１を備えている。本実施形態に示すものは、前壁２３における左右の縁部から左右の側壁２１、２２が連続して形成されており、前壁２３における下縁から底壁２４が連続して形成されている。
【００２５】
底壁２４は、左右の側壁２１、２２における前側の下縁間、すなわち側壁本体２１１、２２１の下縁間に位置し、紙葉類Ｂの下端縁を下から支持する矩形板状のものである。本実施形態では、底壁２４は前縁部分において前壁２３と連続しており、後縁部分において背板部１に連続している。
【００２６】
図４に示すように、用紙内における紙葉類立てＳｔを形成する部分（紙製シートＰ）は、所定の用紙サイズに効率的に収まるように寸法設定される。例えば、菊判サイズとして「菊４切」を採用する場合には、切除される不要部分が多く発生しないようにするため、背板部１の上下寸法がバランスを失わない範囲でできるだけ菊４切内に大きく設定されるとともに、他の脚部等の構成部分の寸法も無理のない構造を保持しつつ菊４切内に収容されるように設定される。このようにすれば、所望の面積を有した背板部１を得るために、従来必要とされていた用紙サイズよりも小さな用紙サイズを採用することが可能となるのみならず、不要部分の発生を極力少なくして廃棄コストの削減に寄与し、環境等にも配慮したものとなる。
【００２７】
また、以上の構成をなす紙葉類立てＳｔを形成する紙製シートＰに対しては適宜の印刷を施すことができ、一般的に多枚数を纏めて印刷するのに用いられるいわゆるオフセット印刷と称される印刷方式の他、１枚のみの印刷にも柔軟に対応可能ないわゆるオンデマンド印刷と称される印刷方式が用いられる。また、一般に矩形をなした所定サイズに規格化された印刷用の紙製用紙から、所望の形状を有した紙葉類立てＳｔを形成する部分を切り抜くための方策としては、一般的なプレス式の裁断装置等を用いて複数枚を纏めて切断する方式のみに限られず、カッティング装置を用いて１枚だけを切断する方式も採用することができる。このため、本実施形態に係る紙葉類立てＳｔを得るために、オンデマンド印刷の印刷方式と、カッティング装置による切断の方式とを組み合わせて利用することができ、少数の要望に対しても柔軟に対応することができるようになっている。
【００２８】
以上、詳述したように、本実施形態に係る紙葉類立てＳｔは、紙製シートＰにより形成され、紙葉類Ｂを天板等の載置面Ｆに対して起立した状態で支持するためものであり、表面１ａ及び裏面１ｂに印刷による表示領域Ｒを有した板状の背板部１と、この背板部１を支持する台座部２とを備えたものである。そして、台座部２が、背板部１を保持する背板保持部２１１ａ、２２１ａを前後方向中間位置に配してなる左右の側壁２１、２２と、左右の側壁２１、２２の前縁間を連結する前壁２３と、前壁２３の下縁から連設され左右の側壁２１、２２における前側の下縁間に位置する底壁２４とを備えており、これら左右の側壁２１、２２と、前壁２３と、底壁２４と、背板部１とによって紙葉類Ｂを収容する収容空間Ｓを形成している。さらに、背板部１が、左右方向中間部に後方に突出させてなる後方突出片１１を備えてなり、左右の側壁２１、２２が、下縁から内方に向けて連設された内方延出片２１２ａ、２２２ａと、内方延出片２１２ａ、２２２ａの内側の縁から上方に向けて連設されて後方突出片１１と係わり合う起立片２１２ｂ、２２２ｂとを有した背板支持部２１２、２２２を備えてなり、背板支持部２１２、２２２が、内方延出片２１２ａ、２２２ａと起立片２１２ｂ、２２２ｂとの境界部分ｂ１、ｂ２から下方に突出し下端縁ｅ１、ｅ２が載置面Ｆに接する下方突出片２１２ｃ、２２２ｃを備えてなる。このため、左右の側壁２１、２２の背板保持部２１１ａ、２２１ａによって保持された背板部１が紙葉類Ｂの荷重を受けた場合でも、背板支持部２１２、２２２が背板部１に係わり合って接続しているとともに、背板支持部２１２、２２２に設けた下方突出片２１２ｃ、２２２ｃが下端縁ｅ１、ｅ２が載置面Ｆに接しているので、背板支持部２１２、２２２の下方への移動が載置面Ｆによって規制されることになり、確実に背板部１の変形を抑えて紙葉類Ｂを好適に収容することができるようになっている。
【００２９】
なお、本考案は、以上に詳述した実施形態に限られるものではない。
【００３０】
上述した実施形態では、単一の紙製シート、すなわち１枚の紙製シートを折り曲げることにより形成される紙葉類立てを示しているが、かかる態様のものには限定されず、複数枚の紙製シートにより形成されるものであっても良い。換言すれば、複数枚に分離されているシート状のパーツを組み合わせることにより紙葉類立てを形成するようにしてもよい。
【００３１】
ここで、図５に示すものは、所定サイズの用紙から２枚の紙製シートＡＰ１、ＡＰ２を切り出して紙葉類立てを形成する場合の展開図である。なお、この実施形態における完成図は省略する。また、図５においては、上述した実施形態に用いた符号の頭にＡを付したうえで、同一又は対応する部分には同一符号を付して説明を省略することとする。このものは、背板部Ａ１と台座部Ａ２とをそれぞれの別体の紙製シートＡＰ１、ＡＰ２に分離している。換言すれば、２つのパーツによって紙葉類立てを形成するようにしている。なお、パーツの数は２つであっても、３つ以上であってもよいのはもちろんのことである。図５に示すものは、背板部Ａ１を全体として矩形状に形成しているもので、台座部Ａ２と別体にすることで、所定サイズの用紙から比較的大きな面積を得るようにしている。
【００３２】
背板部の形状は、上述した実施形態に示したもの以外にも、種々の形状にしてもよいのはもちろんのことである。
【００３３】
例えば、図６に示すようなものが考えられる。なお、図６においては、上述した最初の実施形態に用いた符号の頭にＢを付したうえで、同一又は対応する部分には同一符号を付して説明を省略することとする。図６に示すものは、背板部Ｂ１の上縁部分を、印刷表示ＰＲの形状に沿わせて切除することにより、凹凸形状をなすように形成している。換言すれば、背板部Ｂ１の形状は、定型的な矩形形状の他、強度を損ねない範囲でどのような形状にしてもよい。このようなものであれば、紙葉類立てＢＳｔに接する者の注意を惹きつけることができるものとなる。なお、このような背板部Ｂ１の切除は、前述したカッティング装置を用いることにより、極めて柔軟に行うことができる。
【００３４】
その他、各部の具体的構成についても上記実施形態に限られるものではなく、本考案の趣旨を逸脱しない範囲で種々変形が可能である。
【符号の説明】
【００３５】
１…背板部
１ａ…表面
１ｂ…裏面
２…台座部
１１…後方突出片
２１、２２…側壁
２３…前壁
２４…底壁
２１１ａ、２２１ａ…背板保持部
２１２ａ、２２２ａ…内方延出片
２１２ｃ、２２２ｃ…下方突出片
Ｂ…紙葉類
Ｆ…載置面
Ｐ…紙製シート
Ｒ…表示領域
Ｓ…収容空間
Ｓｔ…紙葉類立て
【図１】
0003172664.tif 000003
【図２】
0003172664.tif 000004
【図３】
0003172664.tif 000005
【図４】
0003172664.tif 000006
【図５】
0003172664.tif 000007
【図６】
0003172664.tif 000008